(57)【要約】【課題】専用構成に依らずに点光りを防止することが可能な遊技機を提供する。【解決手段】遊技機は、複数の発光領域が並設されて設けられた電飾装置（８０）を備えている。この電飾装置（８０）は、各発光領域の間を区画する遮光部（８４Ｌ２〜８４Ｌ３，８４Ｃ１〜８４Ｃ２，８４Ｒ２〜８４Ｒ３）と、発光領域を発光させる光源（９２Ｌ２〜９２Ｌ３，９２Ｃ２〜９２Ｃ３，９２Ｒ２〜９２Ｒ３）と、を備えている。発光領域の並設方向において遮光部（８４Ｌ２〜８４Ｌ３，８４Ｃ１〜８４Ｃ２，８４Ｒ２〜８４Ｒ３）と重なるように、光源（９２Ｌ２〜９２Ｌ３，９２Ｃ２〜９２Ｃ３，９２Ｒ２〜９２Ｒ３）を遮光部（８４Ｌ２〜８４Ｌ３，８４Ｃ１〜８４Ｃ２，８４Ｒ２〜８４Ｒ３）の裏側に配設した。【選択図】図２
2019030553.tif 000002
【特許請求の範囲】
【請求項１】
複数の発光領域が並設されて設けられた電飾装置を備えた遊技機であって、
前記電飾装置は、
各発光領域を区画する遮光部と、
前記発光領域を発光させる光源と、を備え、
前記発光領域の並設方向において前記遮光部と重なるように、前記光源を前記遮光部の裏側に配設した、
ことを特徴とする遊技機。
【請求項２】
前記光源から照射された光を前記発光領域に向けて拡散させる拡散部材を備え、
前記拡散部材は、前記遮光部の裏側に配設されている、
ことを特徴とする請求項１記載の遊技機。
【請求項３】
前記拡散部材は、
複数の凸部が前記並設方向に並んで形成された第１列と、
複数の凸部が前記並設方向に並んで形成されると共に、前記並設方向に直交した直交方向における前記第１列の一方側に配設された第２列と、
複数の凸部が前記並設方向に並んで形成されると共に、前記並設方向に直交した直交方向における前記第１列の他方側に配設された第３列と、を備え、
前記第２及び第３列は、前記並設方向において前記光源から離れる程、前記直交方向において前記第１列に近づく方向に傾斜して前記凸部が並んでいる、
ことを特徴とする請求項２記載の遊技機。
【請求項４】
前記複数の凸部は、前記並設方向において前記光源から第１の距離にある第１凸部が、前記並設方向において前記光源から第１の距離よりも離れた第１の距離にある第２凸部よりも、前記並設方向と直交する方向の幅が広くなるように形成されている、
ことを特徴とする請求項３記載の遊技機。
【請求項５】
複数の発光領域が並設されて設けられた電飾装置を備えた遊技機であって、
前記電飾装置は、
各発光領域を区画する遮光部と、
前記発光領域を発光させる光源と、
前記光源から照射された光を前記発光領域に向けて拡散させる拡散部材と、を備え、
前記拡散部材は、
複数の凸部が前記発光領域の並設方向に並んで形成された第１列と、
複数の凸部が前記並設方向に並んで形成されると共に、前記並設方向に直交した直交方向における前記第１列の一方側に配設された第２列と、
複数の凸部が前記並設方向に並んで形成されると共に、前記並設方向に直交した直交方向における前記第１列の他方側に配設された第３列と、を備え、
前記第２及び第３列は、前記並設方向において前記光源から離れる程、前記直交方向において前記第１列に近づく方向に傾斜して前記凸部が並んでいる、
ことを特徴とする遊技機。
【請求項６】
複数の発光領域が並設されて設けられた電飾装置を備えた遊技機であって、
前記電飾装置は、
各発光領域を区画する遮光部と、
前記発光領域を発光させる光源と、
前記光源から照射された光を前記発光領域に向けて拡散させる拡散部材と、を備え、
前記拡散部材は、複数の凸部が前記発光領域の並設方向に並んで形成されており、
前記複数の凸部は、前記並設方向において前記光源から第１の距離にある第１凸部が、前記並設方向において前記光源から第１の距離よりも離れた第１の距離にある第２凸部よりも、前記並設方向と直交する方向の幅が広くなるように形成されている、
ことを特徴とする遊技機。
【発明の詳細な説明】
【技術分野】
【０００１】
本発明は、遊技機に関する。
【背景技術】
【０００２】
従来、パチンコ機やスロットマシンなど、パチンコ玉やメダルなどの遊技媒体に対して一定の遊技価値を付与し、遊技媒体を獲得するための遊技を遊技者に提供する遊技機が知られている。パチンコ機と称される弾球遊技機にあっては、遊技者がパチンコ玉（遊技球）を遊技盤の遊技領域に発射することで賞球を得るための遊技を行う。スロットマシン等と称される回動式遊技機にあっては、遊技者が外周面に図柄が配列されたリールの回転を停止させ、特定の図柄が揃った場合にメダル等の払出しが行われる。
【０００３】
このような遊技機においては、一般に、筐体の前面側に電飾装置が設けられており、遊技の進行に伴って遊技を盛り上げる演出等を行うことができるようになっている。また、上述した電飾装置において、従来、レンズカバーに不透明部を設け、この不透明部の裏側に光源を配置するものが案出されている（特許文献１参照）。この電飾装置は、上記レンズカバーの不透明部にて反射した光をリフレクターによってレンズカバーの透明部分に向かって反射させている。
【先行技術文献】
【特許文献】
【０００４】
【特許文献１】特開２０１１−０７８４６６号公報
【発明の概要】
【発明が解決しようとする課題】
【０００５】
上記特許文献１記載の電飾装置のように不透明部分の後方に光源を設けると、遊技者が直接、光源を視認することができないため、例え、レンズカバーと光源との間の距離が近い場合であっても、光源部分が強く発光して点状に見えてしまうこと（いわゆる点光り）を防止することができる。また、不透明部分とリフレクターとの間にて反射を繰り返してレンズカバーの透明部を間接的に照明するため、比較的少数の光源にて広範囲の照明をすることができるようになっている。
【０００６】
しかしながら、上記特許文献１記載の電飾装置では、光源が配置される位置に合わせて点光りの防止のみを目的として不透明部分を形成しなければならず、この不透明部分に合わせてレンズカバーの意匠や設計をしなければならなかった。
【０００７】
そこで、本発明は、専用構成に依らずに点光りを防止することが可能な遊技機を提供することを目的とする。
【課題を解決するための手段】
【０００８】
本発明に係る遊技機は、複数の発光領域が並設されて設けられた電飾装置を備えた遊技機であって、前記電飾装置は、各発光領域を区画する遮光部と、前記発光領域を発光させる光源と、を備え、前記発光領域の並設方向において前記遮光部と重なるように、前記光源を前記遮光部の裏側に配設した、ことを特徴とする。
【０００９】
また、本発明に係る遊技機は、複数の発光領域が並設されて設けられた電飾装置を備えた遊技機であって、前記電飾装置は、各発光領域を区画する遮光部と、前記発光領域を発光させる光源と、前記光源から照射された光を前記発光領域に向けて拡散させる拡散部材と、を備え、前記拡散部材は、複数の凸部が前記並設方向に並んで形成された第１列と、複数の凸部が前記並設方向に並んで形成されると共に、前記並設方向に直交した直交方向における前記第１列の一方側に配設された第２列と、複数の凸部が前記並設方向に並んで形成されると共に、前記並設方向に直交した直交方向における前記第１列の他方側に配設された第３列と、を備え、前記第２及び第３列は、前記並設方向において前記光源から離れる程、前記直交方向において前記第１列に近づく方向に傾斜して前記凸部が並んでいる、ことを特徴とする。
【００１０】
更に、本発明に係る遊技機は、複数の発光領域が並設されて設けられた電飾装置を備えた遊技機であって、前記電飾装置は、各発光領域を区画する遮光部と、前記発光領域を発光させる光源と、前記光源から照射された光を前記発光領域に向けて拡散させる拡散部材と、を備え、前記拡散部材は、複数の凸部が前記並設方向に並んで形成されており、前記複数の凸部は、前記並設方向において前記光源から第１の距離にある第１凸部が、前記並設方向において前記光源から第１の距離よりも離れた第１の距離にある第２凸部よりも、前記並設方向と直交する方向の幅が広くなるように形成されている、ことを特徴とする。
【発明の効果】
【００１１】
本発明に係る遊技機によると、発光領域を区画する遮光部の裏側に光源を配設することによって、上記発光領域間を区画する仕切り部を用いて点光りを防止することができる。
【図面の簡単な説明】
【００１２】
【図１】本開示の実施の形態に係るスロットマシンの斜視図。
【図２】（ａ）はナビランプユニットの分解図、（ｂ）はカバー体の正面図。
【図３】（ａ）はアウターレンズユニットの正面図、（ｂ）はインナーレンズユニットの正面図、（ｃ）はＬＥＤ基板の正面図。
【図４】（ａ）は拡散部材の部分拡大図、（ｂ）インナーレンズユニットの側面図、（ｃ）インナーレンズユニットの背面図。
【図５】図１のスロットマシンの部分断面図。
【図６】右ナビランプユニットの斜視図。
【発明を実施するための形態】
【００１３】
以下、本発明に係る実施の形態について説明する。なお、以下に説明する実施の形態は、特許請求の範囲に記載された本発明の内容を不当に限定するものではない。また、本実施の形態で説明される構成の全てが、本発明の必須構成要件であるとは限らない。更に、以下の説明において基本的に「前後」とは、遊技機の前側に遊技者が居る場合に、遊技者側が「前」で、遊技機側が「後」を意味し、「上下」とは遊技機の上面側が「上」で、下面側が「下」を意味し、「左右」とは遊技機を遊技する遊技者の左手側が「左」を意味し、右手側が「右」を意味する。
【００１４】
１．遊技機の全体構成
まず、本発明の実施の形態に係る遊技機としてのスロットマシン１の全体構成について図１に基づいて説明をする。本実施の形態に係るスロットマシン１は、いわゆる回胴式遊技機と呼ばれるもので、メダルを遊技媒体として用いた遊技を行う種類の遊技機である。図１に示すように、スロットマシン１は、６面体構造のうち遊技者に対向する前面が開口した筐体１０を備えていると共に、この開口した筐体１０の前面を開閉可能な前扉５０により被覆して構成されている。また、筐体１０の内部には、複数の回転リールとしての第１リールＲ１〜第３リールＲ３を備えたリールユニット３０が収められていると共に、このリールユニット３０の下部には、メダルの払出装置としてのホッパーユニット（不図示）が収められている。
【００１５】
第１リールＲ１〜第３リールＲ３は、それぞれ外周面が一定の間隔で２１の領域（以下、各領域を「コマ」と記載する）に区画されており、各コマに複数種類の図柄のいずれかが配列されている。また、第１リールＲ１〜第３リールＲ３は、リールを駆動させるアクチュエータとしての第１ステッピングモータ〜第３ステッピングモータに軸支されており、それぞれステッピングモータの軸周りに回転駆動され、ステッピングモータの駆動パルスのパルス数やパルス幅などを制御することによって、コマ単位（所定の回転角度単位、所定の回転量単位）で停止可能に設けられている。
【００１６】
前扉５０は、上扉ユニット５０Ｕと、下扉ユニット５０Ｌとに上下に分割して構成されており、上扉ユニット５０Ｕは、その中央部から上方部に亘って大型の液晶からなる表示装置５２が設けられていると共に、表示装置５２の下方には、第１リールＲ１〜第３リールＲ３の回転状態及び停止状態を観察可能にする表示窓５１が設けられている。第１リールＲ１〜第３リールＲ３の停止状態では、第１リールＲ１〜第３リールＲ３それぞれの外周面に一定間隔で配列された複数種類の図柄のうち、外周面上に連続して配列されている３つの図柄（上段図柄、中段図柄、下段図柄）をスロットマシン１の正面から表示窓５１を通じて観察できるようになっている。
【００１７】
また、本実施形態のスロットマシン１では、各リールの上段・中段・下段の表示位置の組合せ（例えば中段一列）によって有効ラインＬｆが設定されている。なお、本実施形態のスロットマシン１では、１回の遊技に関して必要となるメダルの数、いわゆる規定投入数が３枚に設定され、規定投入数に相当するメダルが投入されると第１リールＲ１〜第３リールＲ３の中段によって構成される有効ラインＬｆが有効化される。
【００１８】
前扉５０の下扉ユニット５０Ｌには、演出用の絵柄などを表示する下パネル５５が設けられていると共に、下パネル５５の上方には各種の操作手段が設けられている。操作手段としては、クレジット（貯留）されたメダルを投入する操作を行うための投入操作手段として、１枚のメダルを投入するシングルベットボタンＢＴ及び規定投入数のメダルを投入するマックスベットを実行するマックスベットボタンＭＢ、第１リールＲ１〜第３リールＲ３を回転させて遊技を開始する契機となる開始操作を遊技者に実行させるための遊技開始操作手段としてのスタートレバーＳＬ、第１ステッピングモータ〜第３ステッピングモータにより回転駆動されている第１リールＲ１〜第３リールＲ３のそれぞれを停止させる契機となる停止操作を遊技者に実行させるための停止操作手段としてのストップボタンＢ１〜ストップボタンＢ３などが設けられている。
【００１９】
更に、下扉ユニット５０Ｌには、遊技者がメダルを投入するメダル投入口５６が設けられており、このメダル投入口５６から投入されたメダルは、下扉ユニット５０Ｌの裏側に設けられたセレクタ（不図示）によってカウントされてホッパーユニットへと案内されるようになっている。本実施の形態のスロットマシン１では、遊技者がメダルをメダル投入口５６に投入するか、メダルが規定投入数以上にクレジットされている場合に、シングルベットボタンＢＴを規定投入数と同じ回数押下する操作又はマックスベットボタンＭＢを押下する操作を行うことで、第１リールＲ１〜第３リールＲ３の回転制御を開始することが可能な準備状態にセットされる。そして、遊技者がスタートレバーＳＬを押下、つまり遊技者がスタートレバーＳＬに対して開始操作を実行すると、主制御基板ユニット（不図示）において乱数値を用いた内部抽選が行われた後に第１リールＲ１〜第３リールＲ３をステッピングモータの駆動により回転開始させ、第１リールＲ１〜第３リールＲ３の回転速度が所定の速度まで上昇し定常回転になったことを条件に、ストップボタンＢ１〜ストップボタンＢ３の押下操作が許可、即ちストップボタンＢ１〜ストップボタンＢ３による停止操作が有効化される。
【００２０】
その後、遊技者が任意のタイミングでストップボタンＢ１〜ストップボタンＢ３を押下（以下、「押下タイミング」と記載）し、遊技者が任意のタイミングで押下状態にあるストップボタンＢ１〜ストップボタンＢ３を解放すると、ストップボタンＢ１〜ストップボタンＢ３のそれぞれに対応するストップスイッチがオフ動作を行い、主制御基板ユニット（不図示）へ出力するリール停止信号をオン状態からオフ状態に変化させる。
【００２１】
そして、主制御基板ユニットは、ストップボタンＢ１〜ストップボタンＢ３の押下タイミング及び解放タイミングに応じて信号状態が変化するリール停止信号のオフ状態からオン状態への変化に基づいて、内部抽選の結果に応じた停止位置で第１リールＲ１〜第３リールＲ３を停止させる。
【００２２】
また、主制御基板ユニットは、第１リールＲ１〜第３リールＲ３を停止させた後に、有効ラインＬｆ上に停止している図柄の組合せに応じて、各種処理を実行する。主制御基板ユニットが実行する各種処理としては、例えば、有効ラインＬｆ上に停止している図柄の組合せが複数種類の役のうちメダルの払い出しを伴う小役の図柄組合せである場合、即ち小役が入賞した場合に、入賞した小役に設定されている配当に基づきホッパーユニットからメダルを払い出す払出処理や、有効ラインＬｆ上に停止している図柄の組合せが遊技者にメダルを消費させることなく１回遊技を実行可能にするリプレイの図柄組合せである場合に、今回の遊技における規定投入数のメダルを投入状態に設定するリプレイ処理等がある。
【００２３】
また、下扉ユニット５０Ｌの下部にはメダル受け皿６０が設けられており、遊技の結果に応じた枚数のメダルがメダル払出口からメダル受け皿６０へ払い出されるようになっている。更に、例えば、遊技機内にクレジットされたメダルが記憶されている状態で、精算ボタンが押下された場合、精算ボタンの押下に伴ってホッパーユニットからクレジット数（クレジットされたメダルの枚数）に相当する枚数のメダルを払い出す精算処理を実行し、メダル払出口からメダル受け皿６０へメダルを払い出す。
【００２４】
更に、前扉５０（特に上扉ユニット５０Ｕ）には、遊技を盛り上げるために音響装置（不図示）、電飾装置７５，７６Ｌ，７６Ｒ，７７，８０、演出用の可動役物７１、及び上述した表示装置５２などの複数の演出装置が設けられている。具体的には、表示装置５２の前面には、可動役物としてシャッタ装置７１が設けられており、遊技の進行に応じて左右のシャッタ（可動部材）７１Ｌ，７１Ｒを移動（開閉）させて表示装置５２の画面を遮蔽させたり露出させたりすることができるようになっている。
【００２５】
また、電飾装置として、表示装置５２の上方には上部ランプユニット７５が設けられていると共に、表示装置５２の左右側方には、サイドランプユニット７６Ｌ，７６Ｒが設けられている。更に、リールユニット３０の図柄を観察する表示窓５１の左右側方には、演出用の図柄を発光させるランプ装置７７及び演出時に遊技者が操作可能なプッシュボタンＳＢが設けられている。また、表示装置５２とリールユニット３０の図柄を観察する表示窓５１との間には、ナビランプユニット８０が設けられている。これら上部ランプユニット７５及びサイドランプユニット７６Ｌ，７６Ｒ及びナビランプユニット８０は、遊技に合わせて点灯して演出用の照明装置として機能したり、遊技に係る情報を遊技者に報知する報知装置として機能したりする。
【００２６】
より具体的には、上記ナビランプユニット８０は、表示装置５２の下方でかつ表示窓５１の上方に設けられており、左右のナビランプユニット８１Ｌ，８１Ｒと中央のナビランプユニット８１Ｃとを備えて構成されている。上記左ナビランプユニット８１Ｌ、中央ナビランプユニット８１Ｃ、右ナビランプユニット８１Ｒは、それぞれ第１リールＲ１、第２リールＲ２、第３リールＲ３に対応しており、左右のナビランプユニット８１Ｌ，８１Ｒは、筐体の幅方向（左右方向）に複数の発光領域（発光部）８１Ｌ１〜８１Ｌ３，８１Ｒ１〜８１Ｒ３が並設されて構成されている。また、中央のナビランプユニット８１Ｃは、単一の発光領域８１Ｃ１を備えて構成されている。
【００２７】
このため、例えば、上記ナビランプユニット８０は、各ナビランプユニット８１Ｌ，８１Ｒ，８１Ｃの発光領域が点灯することによって、第１リールＲ１〜第３リールＲ３の停止順序（以下、打順ともいう）を遊技者に報知することが出来るようになっている。また、ナビランプユニット８０は、複数の発光領域８１Ｌ１〜８１Ｌ３，８１Ｒ１〜８１Ｒ３，８１Ｃ１が幅方向に並んで構成されているため、これら並設された発光領域を幅方向に順番に点灯させたり、左右のナビランプユニット８１Ｌ，８１Ｒの発光領域８１Ｌ１〜８１Ｌ３，８１Ｒ１〜８１Ｒ３のみを順番に点灯させたり、発光の強度が強い中央ナビランプユニット８１Ｃのみを点灯させたりすることによって、種々のランプ演出を実行することができるようになっている。
【００２８】
２．ナビランプユニットの構成
次に、上記ナビランプユニット８０の構成について図２及び図３に基づいて詳しく説明をする。図２（ａ）に示すように、ナビランプユニット８０は、スロットマシン１の外装において表示窓５１の周りを覆う上扉ユニット５０Ｕのカバー体８２と、アウターレンズユニット８５及びインナーレンズユニット８８と、光源となる発光ダイオード（以下、ＬＥＤという）を備えたＬＥＤ基板９１と、を備えて構成されている。
【００２９】
カバー体８２は、図２（ａ）及び（ｂ）に示すように、表示窓５１の上方部分をカバーするトップカバー部８２Ｕと、表示窓５１の側方をカバーするサイドカバー部８２Ｌ，８２Ｒと、表示窓５１の下方部分をカバーするするボトムカバー部８２Ｄと、を備えており、上記トップカバー部８２Ｕによってナビランプユニット８０を覆うランプカバーが構成されている。
【００３０】
このランプカバー８２Ｕは、黒色の樹脂部材によって構成されており、上記アウターレンズユニット８５の外周縁を覆ってカバーすると共に、アウターレンズユニット８５のレンズ面８６Ｌ１〜８６Ｌ３、８６Ｃ，８６Ｒ１〜８６Ｒ３（図３（ａ）も併せて参照）が露出するように開口して形成されている。また、ランプカバー８２Ｕは、上記複数設けられた発光領域８１Ｌ１〜８１Ｌ３，８１Ｒ１〜８１Ｒ３，８１Ｃ１に応じて開口部を仕切る仕切り部８４Ｌ１〜８４Ｌ３，８４Ｃ１〜８４Ｃ２，８４Ｒ１〜８４Ｒ３を備えている。
【００３１】
具体的には、左ナビランプユニット８１Ｌに対応してランプカバー８２Ｕは、仕切り部８４Ｌ１〜８４Ｌ３を備えており、左ナビランプユニット８１Ｌに対応したランプカバー８２Ｕの開口を３つの開口部８３Ｌ１〜８３Ｌ３に区画している。また、同様に、右ナビランプユニット８１Ｒに対応してランプカバー８２Ｕは、仕切り部８４Ｒ１〜８４Ｒ３を備えており、右ナビランプユニット８１Ｒに対応したランプカバー８２Ｕの開口を３つの開口部８３Ｒ１〜８３Ｒ３に区画している。更に、ランプカバー８２Ｕは、中央ナビランプユニット８１Ｃに対応して２つの仕切り部８４Ｃ１，８４Ｃ２を備えており、これら２つの仕切り部８４Ｃ１，８４Ｃ２によって１つの開口部８３Ｃを区画している。
【００３２】
アウターレンズユニット８５は、図２（ａ）及び図３（ａ）に示すように、左右ナビランプユニット８１Ｌ，８１Ｒ及び中央ナビランプユニット８１Ｃに対応して３つのアウターレンズユニット８５Ｌ，８５Ｒ及び８５Ｃに分割して形成されている。左ナビランプユニット８１Ｌに対応した左アウターレンズユニット８５Ｌは、それぞれ、ランプカバー８２Ｕの開口部８３Ｌ１〜８３Ｌ３に嵌め込まれる３つのレンズ面８６Ｌ１〜８６Ｌ３を備えており、これら３つのレンズ面８６Ｌ１〜８６Ｌ３の間には、上記ランプカバー８２Ｕの仕切り部８４Ｌ２，８４Ｌ３が嵌合する溝状の凹部（嵌合部）８７Ｌ２，８７Ｌ３が設けられている。また、左アウターレンズユニット８５Ｌの左側（外側）端部には、開口部８３Ｌ１の左側端縁を縁取る仕切り部８４Ｌ１が嵌まるように凹部（嵌合部）８７Ｌ１が形成されており、右側（内側）端部には、仕切り部８４Ｃ１が嵌まるように凹部（嵌合部）８７Ｌ４が形成されている。
【００３３】
同様に右ナビランプユニット８１Ｒに対応した右アウターレンズユニット８５Ｒは、それぞれ、ランプカバー８２Ｕの開口部８３Ｒ１〜８３Ｒ３に嵌め込まれる３つのレンズ面８６Ｒ１〜８６Ｒ３を備えており、これら３つのレンズ面８６Ｒ１〜８６Ｒ３の間には、上記ランプカバー８２Ｕの仕切り部８４Ｒ２，８４Ｒ３が嵌合する溝状の凹部（嵌合部）８７Ｒ２，８７Ｒ３が設けられている。また、右アウターレンズユニット８５Ｒの右側（外側）端部には、開口部８３Ｒ１の右側端縁を縁取る仕切り部８４Ｒ１に嵌まるように凹部（嵌合部）８７Ｒ１が形成されており、左側（内側）端部には、仕切り部８４Ｃ２が嵌まるように凹部（嵌合部）８７Ｒ４が形成されている。
【００３４】
更に、中央ナビランプユニット８１Ｃに対応した中央アウターレンズユニット８５Ｃは、ランプカバー８２Ｕの開口部８３Ｃに嵌め込まれる１つのレンズ面８６Ｃを備えており、その左右側端部には、上記ランプカバー８２Ｕの仕切り部８４Ｃ１，８４Ｃ２が嵌合する凹部（嵌合部）８７Ｃ１，８７Ｃ２が設けられている。なお、この凹部８７Ｃ１，８７Ｃ２は、左アウターレンズユニット８５Ｌの凹部８７Ｌ４と共に仕切り部８４Ｃ１が嵌合される溝状の凹部を構成し、同様に凹部８７Ｃ２は、右アウターレンズユニット８５Ｒの凹部８７Ｒ４と共に仕切り部８４Ｃ２が嵌合される溝状の凹部を構成している。
【００３５】
インナーレンズユニット８８は、図２（ａ）及び図３（ｂ）に示すように、左右ナビランプユニット８１Ｌ，８１Ｒ及び中央ナビランプユニット８１Ｃに対応して３つのインナーレンズユニット８８Ｌ，８８Ｒ，８８Ｃに分割して形成されている。また、図２（ａ）及び図３（ｃ）に示すように、ＬＥＤ基板９１には、左ナビランプユニット８１Ｌの３つの発光領域８１Ｌ１〜８１Ｌ３に対応して３つのＬＥＤ９２Ｌ１〜９２Ｌ３が設けられ、右ナビランプユニット８１Ｒの３つの発光領域８１Ｒ１〜８１Ｒ３に対応して３つのＬＥＤ９２Ｒ１〜９２Ｒ３が設けられ、中央ナビランプユニット８１Ｃの１つの発光領域８１Ｃ１に対応して３つのＬＥＤ９２Ｃ１〜９２Ｃ３が設けられている。左右のナビランプユニット８１Ｌ，８１Ｒに対応したＬＥＤ９２Ｌ１〜９２Ｌ３，９２Ｒ１〜９２Ｒ３は、側面発光するサイドビューＬＥＤによって構成されており、発光領域８２Ｌ１〜８２Ｌ３，８２Ｒ１〜８２Ｒ３，８１Ｃ１の並設方向（幅方向）における中央側に向いて、即ち、中央ナビランプユニット８１Ｃ側を向いて、光を照射するようになっている。また、別の言い方をすれば、上記ＬＥＤ９２Ｌ１〜９２Ｌ３，９２Ｒ１〜９２Ｒ３の出光方向は、左右方向における内側となっているとも言える。
【００３６】
また、中央ナビランプユニット８１Ｃに対応する３つのＬＥＤ９２Ｃ１〜９２Ｃ３は、上記並設方向中央部に位置するＬＥＤ９２Ｃ１は、正面発光するトップビューＬＥＤによって構成され、このトップビューＬＥＤ９２Ｃ１の側方に設けられたＬＥＤ９２Ｃ２，９２Ｃ３は、サイドビューＬＥＤによって構成されている。これらサイドビューＬＥＤ９２Ｃ２，９２Ｃ３は、それぞれトップビューＬＥＤ９２Ｃ１側（中央側）に向かって光を照射するようになっている。インナーレンズユニット８８は、上記ＬＥＤ基板９１の前面に対して取り付けられ、トップビューＬＥＤ９２Ｃ１を除く各ＬＥＤ９２Ｌ１〜９２Ｌ３，９２Ｒ１〜９２Ｒ３，９２Ｃ２〜９２Ｃ３の前面には、ＬＥＤから射出された光を所望の方向へと拡散させる拡散部材８９Ｌ１〜８９Ｌ３，８９Ｃ２〜８９Ｃ３，８９Ｒ１〜８９Ｒ３が設けられている。なお、トップビューＬＥＤ９２Ｃ１の前面には、強発光させるための集光部材８９Ｃ１が設けられている。この、トップビューＬＥＤ９２Ｃ１の前面に位置する集光部材８９Ｃ１は、半楕円体形状の集光レンズによって形成されている。
【００３７】
また、上記サイドビューＬＥＤ９２Ｌ１〜９２Ｌ３，９２Ｒ１〜９２Ｒ３，９２Ｃ２〜９２Ｃ３の前面を被覆する拡散部材８９Ｌ１〜８９Ｌ３，８９Ｃ２〜８９Ｃ３，８９Ｒ１〜８９Ｒ３は、図３（ｂ）に示すように、板状のベース部材９０Ｌ，９０Ｒ，９０Ｃ表面からＬＥＤ基板９１とは反対側に向かって突出した複数の凸部によって構成されている。より具体的には、上記凸部が発光領域の並設方向に並設された列がこの並設方向と直交するベース部材９０Ｌ，９０Ｒ，９０Ｃの幅方向（上下方向、直交方向）に複数列（本実施の形態では３列）並んで拡散パターンを構成している。
【００３８】
例えば、拡散部材８９Ｒ２を例に取って説明すると、図４（ａ）に示すように、拡散部材８９Ｒ２は、ベース部材９０Ｌ，９０Ｒ，９０Ｃの幅方向において、中央に位置する第１列８９Ｒ２１、第１列８９Ｒ２１の上方側に位置する第２列８９Ｒ２２及び、第１列８９Ｒ２１の下方側に位置する第３列８９Ｒ２３を備えており、これら第１〜第３列８９Ｒ２１〜８９Ｒ２３のそれぞれは、並設方向に並んだ複数の凸部（本実施の形態では３つ）によって構成されている。即ち、拡散部材８９Ｒ２は、複数の凸部２１１〜２１３が上記発光領域の並設方向に並んで形成された第１列８９Ｒ２１と、複数の凸部２２１〜２２３が並設方向に並んで形成されると共に、並設方向に直交した直交方向における第１列８９Ｒ２１の一方側に配設された第２列８９Ｒ２２と、複数の凸部２３１〜２３３が並設方向に並んで形成されると共に、並設方向に直交した直交方向における第１列８９Ｒ２１の他方側に配設された第３列８９Ｒ２３と、を備えて構成されているといえる。
【００３９】
より具体的には、図４（ａ）に示すように、上記凸部２１１〜２１３，２２１〜２２３，２３１〜２３３のそれぞれは、その断面が、上辺が下辺よりも短い台形となる四角錐台形状をしている。即ち、上記凸部２１１〜２１３，２２１〜２２３，２３１〜２３３のそれぞれは、側面視においては、上述したように台形形状となり（図４（ｂ）も併せて参照）、また、平面視においては、その上面及び下面が矩形状に形成されていると共に、上面よりも下面の方が大きく形成され、これら上面及び下面の間の並設方向及び幅方向における一対の側面は傾斜面となっている。
【００４０】
また、第１〜第３列８９Ｒ２１〜８９Ｒ２３のそれぞれは、並設方向において中央側にある（対応する光源から出光方向において遠くにある）凸部ほど長さ（幅）が短くなるようになっており、例えば、第１列８９Ｒ２１を例に取った場合、幅方向における長さが凸部２１１、凸部２１２、凸部２１３の順に短くなり、凸部２１１が最も短く、凸部２１３が最も長くなっている。即ち、第１列８９Ｒ２１を例に取った場合、複数の凸部２１１〜２１３は、並設方向において光源９２Ｒ２から第１の距離にある第１凸部（例えば凸部２１３）が、並設方向において光源から第１の距離よりも離れた第１の距離にある第２凸部（例えば凸部２１１）よりも、並設方向と直交する直交方向（幅方向）の幅が広くなるように形成されている。
【００４１】
このため、基板の短手側である上記幅方向の長さが長い凸部ほど、並列方向において光源であるサイドビューＬＥＤ９２Ｒ２の近くに設けられており、サイドビューＬＥＤ９２Ｒ２から出光された光は、凸部に対して並設方向外側から入射する。即ち、上記第１列８９Ｒ２１においては、並設方向における凸部２１３の外側の側面２１３１が入射面となっており、第１列８９Ｒ２１に入射する光の大部分は、上記入射面２１３１から第１列８９Ｒ２１に入射するようになっている。なお、サイドビューＬＥＤ９２Ｒ２からの光は、凸部２１１〜２１３の下面からも入射しており、凸部の下面を光源からの光の入射面として構成しても良い。
【００４２】
更に、第１列８９Ｒ２１の凸部２１１〜２１３は、発光領域の並設方向と並行に配設されている一方、第２及び第３列８９Ｒ２２，８９Ｒ２３の凸部２２１〜２２３，２３１〜２３３は、ベース部材９０Ｌ，９０Ｒ，９０Ｃの幅方向において長さの短い中央側の凸部の中心が内側に位置するように第１列８９Ｒ２１側に向かって傾斜して設けられている。別の言い方をすると、第１列８９Ｒ２１は、各凸部２１１〜２１３の幅方向の中央位置を結んだ中心線Ｌ１が上記並設方向と平行となり、第２及び第３列８９Ｒ２２，８９Ｒ２３は、その中心線Ｌ２，Ｌ３が並設方向の中央側に近い程、中心線Ｌ１に近づくように傾斜している。即ち、第２及び第３列８９Ｒ２２，８９Ｒ２３は、並設方向において光源９２Ｒ２から離れる程、直交方向において第１列８９Ｒ２１に近づく方向に傾斜して凸部２２１〜２２３，２３１〜２３３が並んでいる。
【００４３】
また、ベース部材９０Ｌ，９０Ｒ，９０ＣのＬＥＤと対向する裏面側には、インナーレンズユニット８８がＬＥＤ基板９１に取り付けられた際に、光源としてのＬＥＤを収容する凹部が形成されていると共に、上記拡散部材８９Ｌ１〜８９Ｌ３，８９Ｃ２〜８９Ｃ３，８９Ｒ１〜８９Ｒ３の端部から放射状に三角波形状のパターンが形成されている。例えば、ベース部材９０Ｒを例に取って説明をすると、図４（ｂ）及び図４（ｃ）に示すように、ベース部材９０Ｒの裏面には、それぞれサイドビューＬＥＤ９２Ｒ１〜９２Ｒ３が嵌合する凹部１００１〜１００３が設けられている。これら凹部１００１〜１００３は、並列方向に所定長さを有し、幅方向に伸びた溝によって形成されている。
【００４４】
より具体的には、上記凹部１００１〜１００３は、並設方向において、対応する表面側に設けられた拡散部材８９Ｒ１〜８９Ｒ３に対して外側にずれてオーバーラップするように設けられており、凹部１００１〜１００３を形成する各面は、平面状に形成されている。また、三角波形状のパターン１１００〜１３００は、それぞれ、並設方向外側に位置している凹部１００１〜１００３の端面から並設方向内側に向かって平面視、矩形状のくぼみが同心円状に広がって形成されている。この三角波形状のパターン１１００〜１３００を形成する各くぼみは、図４（ｂ）に示すように、側面視、三角形状となっており、光源であるサイドビューＬＥＤ９２Ｒ１〜９２Ｒ３と対向するように斜辺が形成されている。なお、上記拡散パターン１１００〜１３００は、必ずしも全てのくぼみ部分が同心円状に広がっている必要はなく、一部もしくは全てが、格子状に整列して構成されても良い。また、凹部１００１〜１００３を除くベース部材９０Ｒの裏面の全面に拡散パターンが形成されていなくとも良い。
【００４５】
３．ＬＥＤの配置構造
ついで、上述したＬＥＤ９２Ｌ１〜９２Ｌ３，９２Ｒ１〜９２Ｒ３，９２Ｃ１〜９２Ｃ３の配置構成について詳しく説明をする。図５は、ＬＥＤ９２Ｌ２の位置におけるスロットマシン１の横断面図である。図５に示すように、ナビランプユニット８０の裏側には、シャッタ装置７１の駆動機構７２が設けられている。また、ナビランプユニット８０は、表示窓５１の上方に位置しているため、機体前方へのせり出し量が遊技者の表示窓５１への視線を妨げない量に制限されている。
【００４６】
このため、本実施の形態においては、ナビランプユニット８０の表面とＬＥＤランプ（図５中ではＬＥＤ９２Ｌ２）との前後方向における距離Ｘ１が狭くなっており、具体的には、１０ｍｍ以下（例えば８．５ｍｍ）となっている。そして、このように、ナビランプユニット８０の表面と光源（ＬＥＤ９２Ｌ１〜９２Ｌ３，９２Ｒ１〜９２Ｒ３，９２Ｃ１〜９２Ｃ３）との距離が近いと、光源が発行した際に、その光源部分が点状に見えてしまういわゆる点光りという現象の発生が懸念される。
【００４７】
この点光りを防止するため、本実施の形態に係るスロットマシン１では、上述したランプカバー８２Ｕの仕切り部８４Ｌ１〜８４Ｌ３，８４Ｃ１〜８４Ｃ２，８４Ｒ１〜８４Ｒ３を遮光部材（例えば不透明部材としての黒色の樹脂部材）により構成し、この遮光部としての仕切り部８４Ｌ１〜８４Ｌ３，８４Ｃ１〜８４Ｃ２，８４Ｒ１〜８４Ｒ３の裏側に拡散部材８９Ｌ１〜８９Ｌ３，８９Ｃ２〜８９Ｃ３，８９Ｒ１〜８９Ｒ３及びＬＥＤ９２Ｌ１〜９２Ｌ３，９２Ｒ１〜９２Ｒ３，９２Ｃ１〜９２Ｃ３を配置するようにしている。
【００４８】
詳しくは、図２（ａ）に示すように、ランプカバー８２Ｕは、左ナビランプユニット８１Ｌに対応した仕切り部８４Ｌ１〜８４Ｌ３の裏側にＬＥＤ９２Ｌ１〜９２Ｌ３が配置され、右ナビランプユニット８１Ｒに対応した仕切り部８４Ｒ１〜８４Ｒ３の裏側にＬＥＤ９２Ｒ１〜９２Ｒ３が配置され、中央ナビランプユニット８１Ｃに対応した仕切り部８４Ｃ１，８４Ｃ２の裏側にＬＥＤ９２Ｃ２，９２Ｃ３が配置されている。なお、中央ナビランプユニット８１Ｃについては、上述したように２つのサイドビューＬＥＤ９２Ｃ２，９２Ｃ３と一つのトップビューＬＥＤ９２Ｃ１によって発光するように構成されているが、中央のトップビューＬＥＤ９２Ｃ１については、仕切り部の裏側に隠れず、レンズ面８６Ｃの後方に位置している。
【００４９】
また、ＬＥＤ９２Ｌ１〜９２Ｌ３，９２Ｒ１〜９２Ｒ３，９２Ｃ２〜９２Ｃ３から照射される光を拡散する光拡散部材８９Ｌ１〜８９Ｌ３，８９Ｒ１〜８９Ｒ３，８９Ｃ２〜８９Ｃ３についても同様に仕切り部８４Ｌ１〜８４Ｌ３，８４Ｃ１〜８４Ｃ２，８４Ｒ１〜８４Ｒ３の裏側に配設されている。
【００５０】
４．本実施形態の効果
本実施の形態に係る遊技機は、
複数の発光領域（８１Ｌ１〜８１Ｌ３，８１Ｒ１〜８１Ｒ３，８１Ｃ１）が並設されて設けられた電飾装置（８０）を備えた遊技機（１）であって、
前記電飾装置（８０）は、
各発光領域を区画する遮光部（８４Ｌ１〜８４Ｌ３，８４Ｃ１〜８４Ｃ２，８４Ｒ１〜８４Ｒ３）と、
前記発光領域を発光させる光源（９２Ｌ１〜９２Ｌ３，９２Ｃ２〜９２Ｃ３，９２Ｒ１〜９２Ｒ３）と、を備え、
前記発光領域の並設方向において前記遮光部（８４Ｌ１〜８４Ｌ３，８４Ｃ１〜８４Ｃ２，８４Ｒ１〜８４Ｒ３）と重なるように、前記光源（９２Ｌ１〜９２Ｌ３，９２Ｃ２〜９２Ｃ３，９２Ｒ１〜９２Ｒ３）を前記遮光部（８４Ｌ１〜８４Ｌ３，８４Ｃ１〜８４Ｃ２，８４Ｒ１〜８４Ｒ３）の裏側に配設している。
【００５１】
この構成により、例え、光源と発光領域の発光表面との間の距離が近い場合であっても、発光領域を区画する仕切り部を遮光部として利用することによって、専用構成に依らずに光源の点光りを防止することができる。
【００５２】
また、本実施の係る遊技機は、前記光源（９２Ｌ２〜９２Ｌ３，９２Ｃ２〜９２Ｃ３，９２Ｒ２〜９２Ｒ３）から照射された光を前記発光領域（８１Ｌ１〜８１Ｌ３，８１Ｒ１〜８１Ｒ３，８１Ｃ１）に向けて拡散させる拡散部材（８９Ｌ１〜８９Ｌ３，８９Ｃ２〜８９Ｃ３，８９Ｒ１〜８９Ｒ３）を備え、
前記拡散部材（８９Ｌ１〜８９Ｌ３，８９Ｃ２〜８９Ｃ３，８９Ｒ１〜８９Ｒ３）は、前記遮光部（８４Ｌ１〜８４Ｌ３，８４Ｃ１〜８４Ｃ２，８４Ｒ１〜８４Ｒ４）の裏側に配設されている。
【００５３】
この構成により、光源を遮光部の裏側に配設した場合であっても、光源からの光を拡散して発光領域へと向かわせることができ、発光領域を均等に発光させることができる。
【００５４】
例えば、ナビランプユニット８０の右ナビランプユニット８１Ｒを例に取って説明をすると、本実施の形態に係るスロットマシン１は、図６に示すように、仕切り部８４Ｒ１〜８４Ｒ３の裏側にサイドビューＬＥＤ９２Ｒ１〜９２Ｒ３が設けられているため、光源が幅方向内側に向かって出光する側面発光のサイドビューＬＥＤによって構成されていることとも相俟って、効果的に光源の点光りを抑制することができる。
【００５５】
また、上記サイドビューＬＥＤ９２Ｒ１〜９２Ｒ３から対応する発光領域８１Ｒ１〜８１Ｒ３側へと出射された光は、拡散部材８９Ｒ１〜８９Ｒ３によって発光領域８１Ｒ１〜８１Ｒ３のレンズ表面側に向けて拡散されて、発光領域８１Ｒ１〜８１Ｒ３の発光面を均等に発光させることができる。
【００５６】
また、前記拡散部材（例えば、８９Ｒ２を例に取ると）は、
複数の凸部（２１１〜２１３）が前記並設方向に並んで形成された第１列（８９Ｒ２１）と、
複数の凸部（２２１〜２２３）が前記並設方向に並んで形成されると共に、前記並設方向に直交した直交方向における前記第１列（８９Ｒ２）の一方側に配設された第２列（８９Ｒ２２）と、
複数の凸部（２３１〜２３３）が前記並設方向に並んで形成されると共に、前記並設方向に直交した直交方向における前記第１列（８９Ｒ２）の他方側に配設された第３列（８９Ｒ２３）と、を備え、
前記第２及び第３列（８９Ｒ２２，８９Ｒ２３）は、前記並設方向において前記光源から離れる程、前記直交方向において前記第１列に近づく方向に傾斜して前記凸部が並んでいる。
【００５７】
この構成により、上記拡散部材によって効率よく光源からの出射された光を拡散することができ、発光領域を均一に照らすと共に、点光りすることを防止することができる。
【００５８】
また、前記複数の凸部（例えば、第１列を例にとると２１１〜２１３）は、前記並設方向において前記光源から第１の距離にある第１凸部（２１３）が、前記並設方向において前記光源から第１の距離よりも離れた第１の距離にある第２凸部（２１１）よりも、前記並設方向と直交する方向の幅が広くなるように形成されている。
【００５９】
この構成により、上記拡散部材によって効率よく光源からの出射された光を拡散することができ、発光領域を均一に照らすと共に、点光りすることを防止することができる。  
【００６０】
なお、本実施の形態では、仕切り部８４Ｌ１〜８４Ｌ３，８４Ｃ１〜８４Ｃ２，８４Ｒ１〜８４Ｒ３の幅を、ＬＥＤ９２Ｌ１〜９２Ｌ３，９２Ｒ１〜９２Ｒ３，９２Ｃ２〜９２Ｃ３及び拡散部材８９Ｌ１〜８９Ｌ３，８９Ｃ２〜８９Ｃ３，８９Ｒ１〜８９Ｒ３の幅よりも広く構成し、これらＬＥＤ９２Ｌ１〜９２Ｌ３，９２Ｒ１〜９２Ｒ３，９２Ｃ２〜９２Ｃ３及び拡散部材８９Ｌ１〜８９Ｌ３，８９Ｃ２〜８９Ｃ３，８９Ｒ１〜８９Ｒ３が仕切り部８４Ｌ１〜８４Ｌ３，８４Ｃ１〜８４Ｃ２，８４Ｒ１〜８４Ｒ３の裏側に完全に隠れるように構成している。しかしながら、これらＬＥＤ９２Ｌ１〜９２Ｌ３，９２Ｒ１〜９２Ｒ３，９２Ｃ２〜９２Ｃ３もしくは拡散部材８９Ｌ１〜８９Ｌ３，８９Ｃ２〜８９Ｃ３，８９Ｒ１〜８９Ｒ３の一部が仕切り部８４Ｌ１〜８４Ｌ３，８４Ｃ１〜８４Ｃ２，８４Ｒ１〜８４Ｒ３の裏側に重なるように配設されても良い。また、本実施の形態の遮光とは、光を完全に遮るのみならず、点光りをしない程度に光を吸収／反射して減光することも含む概念である。例えば、上述した実施の形態では、遮光部材を黒色の樹脂部材によって構成したが、白色などの樹脂によって構成しても良い。また、光源としては、サイドビューＬＥＤに限らず、トップビューＬＥＤでもよく、また、白熱電球などを使用しても良い。
【００６１】
更に、本実施の形態において、仕切り部８４Ｌ１〜８４Ｌ３，８４Ｃ１〜８４Ｃ２，８４Ｒ１〜８４Ｒ３をランプカバー８２Ｕによって構成したが、例えば、アウターレンズの前面を覆うレンズカバーなどによって形成されても、アウターレンズ自体に遮光部を蒸着などの手段によって形成しても良い。また、本実施の形態では、ナビランプユニット８０の発光領域を筐体の幅方向に並設させていたが、例えば、この発光領域を上下方向や斜めに併設させても良い。更に、本発明は、電飾装置を有するパチンコ機などに適用しても良い。
【符号の説明】
【００６２】
１…遊技機（スロットマシン）／８０…電飾装置（ナビランプユニット）／８１Ｌ１〜８１Ｌ３，８１Ｒ１〜８１Ｒ３，８１Ｃ１…発光領域／８４Ｌ２〜８４Ｌ３，８４Ｃ１〜８４Ｃ２，８４Ｒ２〜８４Ｒ３…遮光部（仕切り部）／８９Ｌ２〜８９Ｌ３，８９Ｃ２〜８９Ｃ３，８９Ｒ２〜８９Ｒ３…拡散部材／９２Ｌ２〜９２Ｌ３，９２Ｃ２〜９２Ｃ３，９２Ｒ２〜９２Ｒ３…光源（ＬＥＤ）
【図１】
2019030553.tif 000003
【図２】
2019030553.tif 000004
【図３】
2019030553.tif 000005
【図４】
2019030553.tif 000006
【図５】
2019030553.tif 000007
【図６】
2019030553.tif 000008